(57)【要約】【課題】  蟻溝フレーム内に簡単且つスムースに嵌合でき、嵌合後は外力が作用しても簡単に外れないビニールハスにおけるシートの擦れ防止具を提供することである。【解決手段】  骨組に固定した長尺な蟻溝フレーム１の開口部に嵌合して上記蟻溝フレーム１内に挿入した透光シートＳの擦れを防止するビニールハウスにおけるシートの擦れ防止具において、  上記蟻溝フレーム１の開口部に嵌合する長尺な胴部７と、上記胴部７の両側外周に長手方向に沿って形成した一つ又は複数のヒダ９と、上記胴部７の上端両側に長手方向に沿形成して横方向に張り出すシート押え片１０とで構成し、上記シート押え片１０が上記蟻溝フレーム１内から引き出された上記透光シートＳの上面を覆うことを特徴とする。【選択図】  図４
2019013179.tif 000002
【特許請求の範囲】
【請求項１】
骨組に固定した長尺な蟻溝フレーム（１）の開口部に嵌合して上記蟻溝フレーム（１）内に挿入した透光シート（Ｓ）の擦れを防止するビニールハウスにおけるシートの擦れ防止具において、
上記蟻溝フレーム（１）の開口部に嵌合する長尺な胴部（７）と、上記胴部（７）の両側外周に長手方向に沿って形成した一つ又は複数のヒダ（９）と、上記胴部（７）の上端両側に長手方向に沿形成して横方向に張り出すシート押え片（１０）とで構成し、上記シート押え片（１０）が上記蟻溝フレーム（１）内から引き出された上記透光シート（Ｓ）の上面を覆うことを特徴とするビニールハウスにおけるシートの擦れ防止具。
【請求項２】
上記蟻溝フレーム（１）が水平な底部フレーム（２）と、上記底部フレーム（２）の両側から斜めに起立する一対の鳩尾状フレーム（３）、（３）と、上記各鳩尾状フレーム（３）、（３）から直線状に延びる直状部（３ａ）（３ａ）と、上記直状部（３ａ）（３ａ）の上端にそれぞれ設けたカール部（４）、（４）とで構成され、上記蟻溝フレーム（１）内から上記カール部（４）の上面に引き出された透光シート（Ｓ）の上面を上記シート押え片（１０）の下面が押え込むことを特徴とする請求項１に記載のビニールハウスにおけるシートの擦れ防止具。
【請求項３】
上記ヒダ（９）が斜め上方に向けて張り出し、上記胴部（７）の上面が湾曲している請求項１又は２に記載のビニールハウスおけるシートの擦れ防止具。
【請求項４】
上記胴部（７）内に中空部（８）が形成され、上記シート押え片（１０）が断面球状又は半球状に形成されている請求項１、２、又は３に記載のビニールハウスにおけるシートの擦れ防止具。
【発明の詳細な説明】
【技術分野】
【０００１】
本発明は、シートの定着装置を利用して屋根や側面に透明な透光シートを展張したビニールハウスにおけるシートの擦れ防止具に関し、特に、換気用シートを巻き付けた換気用のパイプで透光シートが擦れて破れるのを防止するシートの擦れ防止具に関する。
【背景技術】
【０００２】
この種従来のビニールハウスではアーチパイプからなる骨組にシートの定着装を利用して透明又は半透明な透光シートが展張され、この透光シートから太陽光線を透過させて植物を育成している。
また、このビニールハウスの屋根、側面又は妻面に開口部を設け、この開口部に換気装置を設けて換気を行い、ビニールハウス内の室温、湿度を調節している。
この換気装置は駆動器で回転駆動されるパイプと、このパイプに巻きつけた換気用シートとを備え、この換気用シートのパイプに対する巻き付け又は巻き戻しで上記の開口部を開閉して換気を行うものである。
しかしながら、上記の換気用のパイプが転動して換気用シートを巻き付け又は巻き戻す時このパイプがシートの定着装置の上側を通過するので、このパイプ又はこのパイプに巻きつけた換気用シートがシートの定着装置の上端から引き出された透光シートと接触してこの透光シートの外面を擦る。
この換気動作が長期間繰り返して続いて透光シートに対する擦りを続けるとこの透光シートが劣化し、破損する場合がある。
このため、例えば、特許文献１に開示されているシートの擦れ防止装置が開発されている。
このシートの擦れ防止装置はシートの定着装置を構成する長尺な蟻溝フレームからなる枠材の開口部に角柱体状の発砲樹脂材からなる摩擦軽減材を嵌合させたものである。
このシートの擦れ防止装置によれば、シートの定着装置上を換気装置用のパイプが転動しながら通過しても摩擦軽減材にパイプが接触するだけでシートの定着装置に保持され透光シートには接触せず、この透光シートが擦れて劣化し、或いは、破損するのが防止できる。
【先行技術文献】
【特許文献】
【０００３】
【特許文献１】特許第５１３３７７８号公報
【発明の概要】
【発明が解決しようとする課題】
【０００４】
しかしながら、上記従来のシートの擦れ防止装置では、機能上の欠陥があるわけではないが、次のような不具合の改善が望まれている。
【０００５】
すなわち、蟻溝フレームの開口部に嵌合した摩擦軽減材は角柱体の弾性な発砲樹脂材から成形されているだけであるから、蟻溝フレーム内に嵌合する時は嵌合操作が容易である反面逆に嵌合後外力が作用した時、例えば、換気装置用のパイプが転動して長期にわたり接触した時、或いは骨組に振動が発生した時、又は、強風が作用した時に簡単に変形し、蟻溝フレームから外れて落下し、或いは破損する等の不具合が発生する。
そのため、その都度外れた摩擦軽減材を再度取付けする必要があるからその作業が面倒であり、或いは新たな摩擦軽減材を成形する必要があり、作業性、加工性、経済性に不利である。
そこで、本発明の目的は、蟻溝フレーム内に簡単且つスムースに嵌合でき、嵌合後は外力が作用しても簡単に外れないビニールハスにおけるシートの擦れ防止具を提供することである。
【課題を解決するための手段】
【０００６】
上記の目的を達成するため、本発明の手段は、骨組に固定した長尺な蟻溝フレームの開口部に嵌合して上記蟻溝フレーム内に挿入した透光シートの擦れを防止するビニールハウスにおけるシートの擦れ防止具において、
上記蟻溝フレームの開口部に嵌合する長尺な胴部と、上記胴部内に形成した中空部と、上記胴部の両側外周に長手方向に沿って形成した一つ又は複数のヒダと、上記胴部の上端両側に長手方向に沿って形成して横方向に張り出す断面球状又は半球状の弾性なシート押え片とで構成し、上記シート押え片が上記蟻溝フレーム内から引き出された上記透光シートの上面を覆うことを特徴とするものである。
【発明の効果】
【０００７】
本発明によれば、次の効果を達成できる。
Ａ）例えば、妻面側の骨組たるアーチパイプ上に取付けたシートの定着装置に透光シートが保持されている場合、このシートの定着装置における蟻溝フレームに本発明のシートの擦れ防止具を取付けておけば、シートの定着装置上をパイプやロール状の換気用シートが通過してもこのパイプ等が透光シートＳに接触するのが防止される。
【０００８】
その結果、透光シートの擦れが防止されてその破断を防止できる。
Ｂ）本発明のシートの擦れ防止具によれば、胴部内に中空部が形成されているので胴部が圧縮し易く、蟻溝フレーム内に手動で簡単に嵌合でき、又は蟻溝フレーム内から取り外しできる。
Ｃ）同じく、胴部の両側外周に長手方向に沿ってヒダを形成しているので胴部を蟻溝フレーム内に嵌合した後は振動、強風等の外力が作用してもこのヒダが蟻溝フレームの内周やカール部に引っ掛かって外部に抜けるのが防止できる。
【０００９】
特に、このヒダを斜め上方に向けて起立させた場合は、このヒダの突っかかりが向上し、胴部の抜けをより強固に防止できる。
Ｄ）同じく、胴部の上端両側に長手方向に沿って横方向に張り出す断面球状又は半球状の弾性なシート押え片を形成しているので、このシート押え片が透光シートの上面を覆い、換気装置側のパイプやこのパイプに巻き付けたシートが接触せず、シートの擦れによる摩耗が防止され、シートの耐久性を向上できる。
Ｅ）また、シート押え片は球状又は半球状に成形されているのでこのシート押え片に接触するパイプやこのパイプに巻き付けたシートがスムースに移動でき、その損傷も防止できる。
【図面の簡単な説明】
【００１０】
【図１】本発明の一実施の形態に係るシートの擦れ防止具を取付けたビニールハウスの斜視図である。
【図２】図１のＡ部拡大斜視図である。
【図３】本発明の一実施の形態に係るシートの擦れ防止具を蟻溝フレーム内に嵌合した状態の斜視図である。
【図４】本発明の一実施の形態に係るシートの擦れ防止具を蟻溝フレーム内に嵌合して透光シートの上面を覆った状態を示す縦断正面図である。
【図５】シートの擦れ防止具上を換気用パイプに巻き付けた換気用シートが移動する状態を示すビニールハウスの一部拡大斜視図である。
【発明を実施するための形態】
【００１１】
以下に本発明の一実施の形態について、図１〜図５を参照しながら説明する。
【００１２】
本発明は、シートの定着装置を利用して屋根や側面に透明な透光シートを展張したビニールハウスに適用され、換気用シートを巻き付けた換気用のパイプやこのパイプに巻き付けた換気用シートで上記の透光シートが擦れて破れるのを防止するシートの擦れ防止具に関するものである。
【００１３】
図１は本発明のシートの擦れ防止具Ｐを妻面側アーチパイプＩに取付け温室たるビニールハウスＨを示している。
【００１４】
このビニールハウスＨは公知のように、地上に多数並列に起立したアーチパイプＩと、このアーチパイプＩとクロスして横方向に取付けた横架材Ｊとで骨組を形成している。
【００１５】
更に、この骨組上にシートの定着装置Ｋを固定し、このシートの定着装置Ｋを利用して屋根側、側面側、妻面側に透明な透光シートＳを展張し、この透光シートＳから太陽光線を透過させてハウス内の植物を育成している。
【００１６】
同じく、上記ビニールハウスＨは公知のように、屋根や側面に換気用の開口部を形成し、この開口部は換気装置で開閉され、ハウス内の温度、湿度を調節するようになっている。
【００１７】
図１、図２のビニールハウスＨには妻面側のアーチパイプＩにシートの定着装置Ｋと、このシートの定着装置Ｋ上に取付けたシートの擦れ防止具Ｐとが示されているが、このシートの擦れ防止具は他の屋根側、側面側の部位に設けていても良い。
【００１８】
要するに、本発明のシートの擦れ防止具Ｐは換気装置のパイプが通過する部位の近辺に設けることが肝要である。
【００１９】
図２には妻面側のアーチパイプＩ上と、このシートの定着装置Ｋに保持されて屋根側と妻面側に展張された透明な透光シートＳと、シートの定着装置Ｋに嵌合して透光シートＳを覆っているシートの擦れ防止具Ｐとが示されている。
【００２０】
シートの定着装置Ｋは、アーチパイプＩに沿う長尺な開口部巾狭の蟻溝フレーム１と、この蟻溝フレーム１内に嵌合して蟻溝フレーム１内に透光シートＳを定着させる弾性な係止線条５とで構成されている。
【００２１】
本発明のシートの擦れ防止具Ｐは図３に示ように蟻溝フレーム１内に開口部から強制的に挿入される。
【００２２】
また、図４に示すように、蟻溝フレーム１内に係止線条５で保持された透光シートＳが引き出された時この部分を覆うものである。
【００２３】
即ち、本発明のシートの擦れ防止具ＰはビニールハウスＨの骨組に固定した長尺な蟻溝フレーム１の開口部に嵌合して当該蟻溝フレーム１内に挿入した透光シートＳを覆ってその擦れを防止するものである。
【００２４】
このシートの擦れ防止具Ｐは図３、図４に示すように、シートの定着装置Ｋにおける蟻溝フレーム１の開口部に嵌合する長尺な胴部７と、胴部７の両側外周に長手方向に沿って形成した一つ又は複数のヒダ９と、胴部７の上端両側に長手方向に沿形成して横方向に張り出す断面球状又は半球状の弾性なシート押え片１０とで構成している。
【００２５】
この場合、胴部７内に中空部８が形成されて胴部７の弾性を向上させている。
【００２６】
そして、このシートの擦れ防止具Ｐはシート押え片１０が蟻溝フレーム１内から引き出された透光シートＳの上面を覆うようになっている。
【００２７】
図２、図４に示すように、シートの定着装置Ｋは開口部が狭い蟻溝フレーム１と、この蟻溝フレーム１内に嵌合してこの蟻溝フレーム１内に透光シートＳを保持させる弾性な係止線条５とで構成されている。
【００２８】
上記蟻溝フレーム１は水平な底部フレーム２と、底部フレーム２の両側から斜めに起立する一対の鳩尾状フレーム３、３と、各鳩尾状フレーム３から直線状に延びる直状部３ａ、３ａと、直状部３ａ、３ａの上端にそれぞれ設けたカール部４、４とで構成されている。
【００２９】
カール部４は図示のように断面三角形状でも良く、円筒状や楕円状であっても良い。
【００３０】
また、このカール部４は図示のように内側に向けて形成しているが、公知のように外側に向けて設けても良い。
【００３１】
いずれにしても、蟻溝フレーム１としては、図示のものに限らず、公知の開口部巾狭のフレームであっても良い。
【００３２】
そして上記のように、蟻溝フレーム１内からカール部４の上面に引き出された透光シートＳの上面をシートの擦れ防止具Ｐにおけるシート押え片１０の下面が押え込んで覆うようになっている。
【００３３】
この為、例えば、図５に示すように、換気装置Ｍにおける換気用のパイプ１１又はこのパイプ１１に巻き付けたロール状の換気用シート１３がシートの擦れ防止具Ｐ上を通過した時、シートの定着装置Ｋを介して展張した透光シートＳに接触せず、この透光シートＳの擦れを防止、その破損を防止できる。
【００３４】
換気装置ＭはビニールハウスＨの屋根面や側面に形成した開口部を開閉してハウス内の空気を換気してハウス内の温度、湿度を調整するもので、この換気装置は、駆動部１２で回転駆動されるパイプ１１と、このパイプ１１に巻き付けた換気用シート１３とで構成され、シートをパイプ１１に巻き付け、又は巻き戻した時開口部を開閉するようになっている。
【００３５】
そして、例えば、図５に示すように、妻面側のアーチパイプＩ上に取付けたシートの定着装置Ｋに透光シートＳが保持されている場合、このシートの定着装置Ｋにおける蟻溝フレーム１に本発明のシートの擦れ防止具Ｐを取付けておけば、シートの定着装置Ｋ上をパイプ１１やロール状の換気用シート１３が通過してもこのパイプ１１等が透光シートＳに接触するのが防止される。
【００３６】
本発明のシートの擦れ防止具Ｐを構成するヒダ９が斜め上方に向けて二つ張り出しているが、このヒダ９は一つ又は複数でも良く、また、長さ同じでも良く、異なっていても良い。
【００３７】
上記ヒダ９は水平でも良いが、図示のように斜め上方に傾斜させることにより、カール部４、４の内側の開口部から下方に向けて胴部７を嵌合する時スムースに行え、逆に振動、強風等の外力や、透光シートＳからの上向きの圧力が作用した時このヒダ９がカール部４の下面等に引っ掛かって胴部７が抜けるのを防止できる。
【００３８】
更に、胴部７の上面が湾曲しており、またシート押え片１０が球状又は半球状に形成されていることにより、後述するようにシートの擦れ防止具Ｐ上を通過する換気装置側のパイプ等の接触面積を少なくして摩擦抵抗が増大するのを防止している。
【００３９】
また、シート押え片１０が球状又は半球状に形成されていることにより透光シートＳに対する接触面積を少なくして透光シートＳに対する負荷を少なくしている。
【００４０】
更に、胴部７内に中空部８を形成しているのでシートの擦れ防止具Ｐの全体が弾性に富み、手動でこのシートの擦れ防止具Ｐを蟻溝フレーム１内に嵌入したり、取り出す作業が容易となる。
【符号の説明】
【００４１】
Ｋ  シートの定着装置
Ｓ  透光シート
Ｐ  シートの擦れ防止具
１  蟻溝フレーム
２  底部
３  鳩尾状フレーム
３ａ  直状部
４  カール部
５  係止線条
７  胴部
８  中空部
９  ヒダ
１０  シート押え片
【図１】
2019013179.tif 000003
【図２】
2019013179.tif 000004
【図３】
2019013179.tif 000005
【図４】
2019013179.tif 000006
【図５】
2019013179.tif 000007